(57)【要約】  本発明は、折り畳まれた堆積（４）を形成する紙葉をバインダ（１）内に保持する装置であって、バインダ（１）の背（２）に結合される保持素子（３）を有するものに関する。本発明によれば、保持素子（３）が堆積（４）の折り目（９）で堆積の一番内側の紙葉に係合している。
2009504461.tif 000002
【特許請求の範囲】
【請求項１】
折り畳まれた堆積（４）を形成する紙葉をバインダ（１）内に保持する装置であって、バインダ（１）の背（２）に結合される保持素子（３）を有するものにおいて、保持素子（３）が堆積（４）の折り目（９）で堆積の一番内側の紙葉に係合していることを特徴とする、装置。
【請求項２】
堆積の一番内側の紙葉に係合する保持素子（３）の部分（８）が索状に構成され、保持位置で索の長さに沿って折り目（９）に隣接していることを特徴とする、請求項１に記載の装置。
【請求項３】
堆積（４）に少なくとも１つの連続する開口（２３）又は縁凹所（７）が形成され、折り目（９）に対して直角に延びる保持素子（３）の部分（６）がこの開口（２３）又は縁凹所（７）に係合していることを特徴とする、請求項１又は２に記載の装置。
【請求項４】
開口（２３）又は縁凹所（７）が、折り目（９）に対して対称に形成されていることを特徴とする、請求項３に記載の装置。
【請求項５】
保持素子（３）がバインダ（１）の背（２）に結合される保持レール（５）を含んでいることを特徴とする、請求項１〜４の１つに記載の装置。
【請求項６】
折り目（９）に対して直角に延びる保持素子（３）の部分（６）が、保持レール（５）に結合され、かつ／又は索状部分（８）の折り曲げ部として構成されていることを特徴とする、請求項３〜５の１つに記載の装置。
【請求項７】
索状部分（８）が、紙葉堆積（４）をバインダ（１）から外すために、場合によっては揺動又は移動により、保持位置から除去されることを特徴とする、請求項２〜６の１つに記載の装置。
【請求項８】
索状部分（８ａ〜８ｆ）が、ばね力の作用に抗して保持位置から除去されることを特徴とする、請求項７に記載の装置。
【請求項９】
索状部分（８ａ〜８ｆ）が弾性変形可能であることを特徴とする、請求項２〜８の１つに記載の装置。
【請求項１０】
保持レール（５ｈ）から、広がって索状部分（８ｈ）に結合されるほぞ（６ｈ）が突出し、９０°折り畳まれた堆積に、広げられるほぞ（６ｈ）を受入れる空間が形成されるように、紙葉が広がる開口（２６）を持っていることを特徴とする、請求項１〜９の１つに記載の装置。
【請求項１１】
保持素子（３ｓ）が弾性帯（２９）によって形成されていることを特徴とする、請求項１〜４及び８及び９の１つに記載の装置。
【請求項１２】
帯（２９）が閉じられており、紙葉堆積（４ｊ）のそばで、バインダの背（２ｊ）の少なくとも１つの内側層」を包囲していることを特徴とする、請求項１１に記載の装置。
【請求項１３】
バインダ（１ｊ）にある保持素子（３ｊ）が、背（２ｊ）に対して横向きの移動を防止されていることを特徴とする、請求項１〜１２の１つに記載の装置。
【請求項１４】
保持素子（３ｊ）がバインダ（１ｊ）の背（２ｊ）に形成される縁凹所（３０）に係合していることを特徴とする、請求項１３に記載の装置。
【発明の詳細な説明】
【技術分野】
【０００１】  本発明は、折り畳まれた堆積を形成する紙葉をバインダ内に保持する装置であって、バインダの背に結合される保持素子を有するものに関する。
【背景技術】
【０００２】  国際公開第ＷＯ０１／８９８５９号から紙葉保持装置が公知であり、この保持装置内で折り畳まれた紙葉の堆積が、堆積物の折り目に沿って外側に延びる保持棒に結合されている。この保持棒は、保持素子と取外し可能に結合され、それぞれ１つの紙葉堆積を保持する複数の保持素子が表紙内に設けられている。保持棒は紙葉堆積を安定化するので、紙葉堆積は表紙から外されて例えばメモ帳又はカレンダとしても利用可能である。
【発明の開示】
【発明が解決しようとする課題】
【０００３】  本発明の基礎になっている課題は、国際公開第ＷＯ０１／８９８５９号から公知の紙葉保持装置に対して構造的に簡単化されている、最初に述べた種類の新しい保持装置を提供することである。
【課題を解決するための手段】
【０００４】  本発明によりこの課題を解決する装置は、保持素子が堆積の折り目で堆積の一番内側の紙葉に係合していることを特徴としている。【０００５】  本発明によれば、バインダになるべく直接結合される保持素子が、折り畳まれた堆積に直接係合する。堆積を安定化するため、その紙葉が、互いに当接する折り目の範囲で、クリップにより留められる。【０００６】  堆積の一番内側の紙葉に係合する保持素子の部分が索状に構成され、保持位置で索の長さに沿って折り目に隣接しているのがよい。例えば細い線又は薄い帯として構成されるこの索は、内側で一番内側の紙葉の折り目に当接して、堆積をバインダ内に固く保持する。【０００７】  保持素子は、堆積物をその縁で包囲して係合することができる。【０００８】  本発明の好ましい実施形態では、堆積に少なくとも１つの連続する開口又は特になるべく縁凹所が形成され、折り目に対して直角に延びる保持素子の部分がこの開口又は縁凹所が係合している。従って保持素子は紙葉堆積の縁に係合するか、又は堆積に形成される連続開口に係合する。縁凹所又は連続開口へ前記部分が係合することにより、堆積が折り目に対して直角に移動しないように拘束され、堆積がバインダと共に開かれ、開かれた堆積が係合することなくバインダに対して側方移動可能である時、特にこの拘束が有利に作用する。【０００９】  開口又は縁凹所が、折り目に対して、即ち開かれた状態にある堆積と折り目の所で直角に交差する面に対して、対称に形成されているのがよい。【００１０】  本発明の別の構成では、保持素子が、バインダの背に結合される保持レールを含み、このレールがバインダに統合可能である。【００１１】  折り目に対して直角に延びる保持素子の部分が、保持レールに結合され、かつ／又は索状部分の折り曲げ部として構成されている。【００１２】  索状部分が例えば折り目に対して直角な位置へ揺動されるか又は折り目に対して平行に移動されることによって、この索状部分が、紙葉堆積をバインダから外すために、折り目に隣接しかつそれに対して平行に延びる保持装置から除去されるのがよい。【００１３】  索状部分が、ばね力の作用に抗して保持位置から除去されるのがよく、索状部分自体が弾性変形可能であり、例えばゴムテープにより形成されている。【００１４】  本発明が、実施例及びこの実施例に関する図面により、以下に更に説明される。
【発明を実施するための最良の形態】
【００１５】  図１に示す革バインダ１は、背９の所で折り畳まれて紙葉堆積４を革バインダ内に保持するためバインダの背２の内側に取付けられる保持素子３を持っている。【００１６】  革バインダ１には、この実施例では２つの保持素子３が設けられ、これら保持素子３のうち１つが、図示した紙葉堆積４を保持している。他方の保持素子により別のこのような堆積を保持することもできるであろう。【００１７】  保持素子は、革バインダ１の背２に縫い付けられた保持レール５から成り、この保持レール５の両端にそれぞれ１つの折り曲げ部６が形成されている。折り曲げ部６は、紙葉堆積４に形成される縁凹所７を通って延びている。折り曲げ部６の自由端には、継手１０の周りに揺動可能なそれぞれ１つの末端片８が形成され、その長さにわたって折り目９に沿って紙葉堆積４に当接して、紙葉堆積４を保持レール５に固く保持している。継手１０は動かないように構成するか、又は図２に示す揺動位置に係止することができる。【００１８】  縁凹所７に係合して折り目９に対して直角に延びる折り曲げ部６により、紙葉堆積４は折り目９に対して直角な方向に拘束され、それにより特に開かれた状態で、紙葉堆積４の望ましくない側方移動が防止される。【００１９】  図示した実施例では、縁凹所７は半円形に形成されている。縁凹所は三角形であるか、又はそれに係合する折り曲げ部の断面形状に合わせることができる。【００２０】  末端片８が紙葉堆積４の折り目９に対して直角な位置へもたらされることによって、使用のため紙葉堆積をバインダ１とは無関係に保持素子３から外すことができる。末端片８のこの位置で、紙葉堆積が再び差込まれ、末端片８を図２に示す位置へ揺動することにより、保持レール５に取付けられる。【００２１】  以下の図において、同じ部分又は同じ作用をする部分は図１及び２におけるのとお同じ符号を付けられ、数字符号に文字符号ａ，ｂ，ｃが添えられている。【００２２】  図３に示す保持素子３ａは、例えば革バインダに結合可能な保持レール５ａを持っている。保持レール５ａは、その両端で開く管として構成され、かつばね線から成る保持弓形片１１に結合され、折り畳まれた紙葉堆積４ａが保持弓形片１１と保持レール５ａとの間に入れられている。【００２３】  ばね線から成る保持弓形片１１は、紙葉堆積４ａにその折り目で当接する部分８ａを持ち、この部分８ａに折り曲げ部６ａ及び６ａ′が続いて、紙葉堆積４ａの折り目に対して直角に延び、紙葉堆積の縁凹所９に相当する縁凹所に係合している。【００２４】  折り曲げ部６ａに、折り曲げ部に対して９０°折り曲げられた末端片１２が続いて、管状レール５ａの端部開口へはまっている。折り曲げ部６ａ′にループ１３が結合されて、末端片１２のように管状レール５ａの端部開口へはまる末端片１２′に移行している。【００２５】  紙葉堆積４ａとレール５ａとの結合を外すため、利用者がループ１３をつかんで、末端片１２に比較して著しく短い末端片１２′を管状保持レール５ａの端部開口から引き抜く。保持弓形片１１は今や紙葉堆積４ａを保持レール５ａから釈放しながら曲げられて、逆の方向へ移動され、その際末端片１２が保持レール５ａから出る。【００２６】  図４は、図���の保持素子に類似な保持素子３ｂを示し、ばね線から製造されて折り曲げ部６ｂ及び６ｂ′を持つ保持弓形片１１ｂは、紙葉堆積４ｂに当接する部分８ｂの長さの中央に、部分８ｂを矢印１５に従って伸ばすのを可能にするループ１４を持っている。【００２７】  保持レール５ｂから保持弓形片１１ｂを外すために、利用者は保持弓形片１１ｂに結合される小さいリボン１６を矢印１５の方向に引張ることができる。【００２８】  図５に示す保持素子３ｃはばね鋼から製造された保持線１７を持ち、この保持線１７はその長さの大部分にわたって管状保持レール５ｃに通され、ばね部分１８を形成するため保持レール５ｃ内で巻かれている。折り曲げ部６ｃから更に９０°折り曲げられる末端片８ｃは、紙葉堆積４ｃを保持レール５ｃに固く保持する。小さい引張りリボン１６ｃにより、末端片８ｃによる紙葉堆積４ｃへの絡みつきが解消され、紙葉堆積が外される。【００２９】  紙葉堆積を保持するため図６に示す保持素子３ｄは、ばね鋼線から成る保持弓形片１１ｄと一体に構成されている保持レール５ｄを持ち、保持弓形片１１ｄは、１９の所で安全ピンのように、保持レール５ｄの端部折り曲げ部６ｄに掛けることができる。【００３０】  図７に示す保持素子３ｅは端部折り曲げ部６ｅを有する保持レール５ｅを持ち、折り曲げ部６ｅの自由端は、弾性的に伸びる例えばゴム製の帯８ｅに結合されている。端部折り曲げ部６ｅから遠い方にあるゴム帯８ｅの端部には差込みほぞ２１が取付けられ、ゴム帯８ｅを引張ってゴム帯を紙葉堆積４ｅの内側折り目に当てながら、管状に構成される保持レール５ｅの端部開口へ差込まれる。【００３１】  紙葉堆積４ｆを保持するため図８に示す保持素子３ｆは、折り曲げ部６ｆ及びこの折り曲げ部６ｆから更に折り曲げられる末端片８ｆを持つ保持レール５ｆを形成しながら、ばね線から一体に構成されている。【００３２】  さて図９を参照すると、折り畳まれた紙葉堆積４ｇを保持する保持素子３ｇの実施例が示され、縁凹所の代わりに、先の実施例におけるように、紙葉堆積４ｇに２つの連続開口２３が形成されている。各連続開口２３に、保持レール５ｇに結合されて折り目９ｇに対して直角に延びるほぞ６ｇがはまっている。末端片８ｇは継手１０ｇの周りに揺動可能なので、紙葉堆積４ｇの折り目９ｇに当接して、保持レール５ｇに結合しながら紙葉堆積４ｇに係合する。【００３３】  揺動可能な末端片８ｇの代わりに、紙葉堆積４ｇを保持レール５ｇに保持するため、突出するほぞ６ｇを結合する弾性帯も使用可能なことは明らかである。【００３４】  さて図１０を参照すると、一部を示す保持レール５ｂは、玉頭部２４を有するほぞ６ｈを持っている。ほぞ６ｈに対し間隔をおいて、別のこのようなほぞ（図示せず）が設けられている。ほぞの玉頭部２４の間に張られるゴム帯８ｈは、紙葉堆積４ｂを保持レール５ｈに固く保持する。【００３５】  紙葉堆積４ｈには、玉頭部２４の直径に相当する口径を持つ連続開口２３ｈが形成されている。【００３６】  紙葉堆積４ｈにある紙葉の一部は、図１０の（Ｃ）に示される開口２３ｈのみを持ち、これはバインダの背に近い方の紙葉である。堆積のこれに続く紙葉は、折り目９ｈに対して対称に、紙葉から紙葉へ増大する口径を有する開口２６を持っている。【００３７】  ９０°だけ折り畳まれた状態で玉頭部２４は、紙葉堆積４ｈにある開口２６により形成される空所を満たしている。開かれた状態で、ゴム帯８ｈを除去した後、玉頭部２４ｈを開口２３ｈに通すことによって、紙葉堆積４ｈを保持レール５ｈから外すことができる。【００３８】  図１１に示す別の保持素子３ｉは、折り曲げ部６ｉを有する保持レール５ｉを持っている。これらの折り曲げ部６ｉにそれぞれ２つの別の折り曲げ部が続き、これらのうち端部折り曲げ部は環７として構成されている。これらの環２７へ、弾性的に伸ばせる帯８ｉが掛けられ、球状の末端片２８が環７に係合している。環は、末端片に対してこれを心出しする座を形成している。【００３９】  図１２は伸ばせる閉じた帯２９のみから成る保持素子３ｊを示している。帯２９は、紙葉堆積４ｊにある縁凹所７ｊにはまっている。帯２９を受入れる適当な縁凹所３０は、バインダ１ｊの背２ｊの端部にも設けられている。縁凹所７ｊ及び３０により、バインダ１ｊ及び紙葉堆積４ｊの開かれた状態で、帯２９及び紙葉堆積４ｊが、バインダ１ｊ上で側方へ移動するのを防止される。図１２の（ｂ）に示すように、バインダの背に、バインダに保持すべき紙葉堆積の数に対応して複数の縁凹所３０が形成されている。【００４０】  帯２９は、バインダの背の２つの層の間に入れられるので、外からは見えない。【００４１】  両方の層のうち特に内側層は、例えば押しボタンにより他方の層に取外し可能に取付けることができる。【００４２】  帯２９は閉じられていなくてもよい。開いている帯の端部はバインダの背に固く結合される。
【図面の簡単な説明】
【００４３】
【図１】  本発明による装置により革バインダ内に保持されている折り畳まれたブロックを示す。
【図２】  図１の保持装置の細部を示す。
【図３】  本発明による保持装置の別の実施例を示す。
【図４】  本発明による保持装置の別の実施例を示す。
【図５】  本発明による保持装置の別の実施例を示す。
【図６】  本発明による保持装置の別の実施例を示す。
【図７】  本発明による保持装置の別の実施例を示す。
【図８】  本発明による保持装置の別の実施例を示す。
【図９】  本発明による保持装置の別の実施例を示す。
【図１０】  本発明による保持装置の別の実施例の部分図を示す。
【図１１】  本発明による保持装置の別の実施例を示す。
【図１２】  本発明による保持装置の別の実施例を示す。
【図１】
2009504461.tif 000003
【図２】
2009504461.tif 000004
【図３】
2009504461.tif 000005
【図４】
2009504461.tif 000006
【図５】
2009504461.tif 000007
【図６】
2009504461.tif 000008
【図７】
2009504461.tif 000009
【図８】
2009504461.tif 000010
【図９】
2009504461.tif 000011
【図１０】
2009504461.tif 000012
【図１１】
2009504461.tif 000013
【図１２】
2009504461.tif 000014
【国際調査報告】
2009504461.tif 000015
2009504461.tif 000016
2009504461.tif 000017
2009504461.tif 000018
2009504461.tif 000019
2009504461.tif 000020